(57)【要約】【課題】  衛生マスクの基本的な性質を変えることなく、プリーツ加工等がなされた場合の立体形状維持に適した衛生マスク等を提供する。【解決手段】  マスク生産装置１は、不織布３と不織布５の間に樹脂部材９が存在する状態で、マスク本体を生産する。すなわち、不織布の間に樹脂部材が存在する状態で、溶着処理を行い、プリーツ加工のために折りたたみ処理を行い、溶着処理を行うことにより、マスク本体とする。これにより、プリーツ加工により折れた部分を伸ばして使用しても、樹脂部材により形状を支持することが可能になり、単なる不織布のみの多層構造と比較して、継続して形状を維持することが可能になる。【選択図】図１
2014033973.tif 000002
【特許請求の範囲】
【請求項１】
着用時に口元を覆うマスク部を有する衛生マスクであって、
前記マスク部は、第１不織布と、第２不織布と、前記第１不織布と前記第２不織布の間に前記第１不織布及び前記第２不織布よりも硬い形状支持部材を有し、
前記形状支持部材は、前記第１不織布及び前記第２不織布と共に折り加工がなされたものであり、着用時に前記第１不織布及び前記第２不織布と共に折り加工された部分が伸ばされて前記口元を覆うことにより、着用時の前記マスク部の形状を支持するものであることを特徴とする衛生マスク。
【請求項２】
前記形状支持部材は、
三角形の形状の通気部が形成され、
前記第１不織布及び前記第２不織布と共にプリーツ加工がなされても、再度、広げて、広げた形状を保つことが可能で、かつ、折りたたまれた状態で前記第１不織布及び前記第２不織布の間に固定されることが可能なものである、請求項１記載の衛生マスク。
【請求項３】
前記形状支持部材は、並行する複数の線状部材と、これらの線状部材を横断する線状部材とを組み合わせたものである、請求項１又は２に記載の衛生マスク。
【請求項４】
前記樹脂は、所定の機能を達成する機能性を有する、請求項１から３のいずれかに記載の衛生マスク。
【請求項５】
着用時に口元を覆うマスク部を有する衛生マスクであって、
前記マスク部は、第１不織布と、第２不織布と、前記第１不織布と前記第２不織布の間に前記第１不織布及び前記第２不織布よりも硬い形状支持部材を有し、
前記形状支持部材は、
空気が通り抜ける通気部が形成されたものであり、
前記第１不織布及び前記第２不織布が前記形状支持部材を間に前記通気部を含めて溶着されることによって前記第１不織布及び前記第２不織布の間に固定され、着用時の前記マスク部の形状を支持するものであることを特徴とする衛生マスク。
【請求項６】
着用時に口元を覆うマスク部を有する衛生マスクを生産するマスク生産装置であって、
第１不織布と第２不織布の間に形状支持部材がある状態で、前記第１不織布及び前記第２不織布並びに前記形状支持部材を折り加工をする折りたたみ部と、
前記折り加工がなされた前記第１不織布及び前記第２不織布に対して溶着処理を行って前記マスク部とする溶着部を備えることを特徴とするマスク生産装置。
【請求項７】
着用時に口元を覆うマスク部を有する衛生マスクを生産するマスク生産方法であって、
折りたたみ部が、第１不織布と第２不織布の間に形状支持部材がある状態で、前記第１不織布及び前記第２不織布並びに前記形状支持部材を折り加工をする折りたたみステップと、
溶着部が、前記折り加工がなされた前記第１不織布及び前記第２不織布に対して溶着処理を行って前記マスク部とする溶着ステップを含むことを特徴とするマスク生産方法。
【発明の詳細な説明】
【技術分野】
【０００１】
本願発明は、衛生マスク、マスク生産装置及びマスク生産方法に関し、特に、着用時に口元を覆うマスク部を有する衛生マスク等に関する。
【背景技術】
【０００２】
出願人は、特許文献１及び２にあるように、衛生マスクを開発し、製造・販売してきた（特許文献１及び２参照）。特に、ダチョウ卵に由来の抗体を使用したマスクの製造・販売で有名である。また、出願人は、近年、可視性のある保冷容器の研究・開発を行ってきた（特許文献３参照）。
【０００３】
図６は、特許文献１及び２において、出願人らが示した、従来の使い捨て衛生マスクの製造工程を示す図である。以下では、使い捨て衛生マスクにおいて、着用時に口元を覆う部分を「マスク本体」といい、耳に掛ける部分を「耳掛け部」という。
【０００４】
マスク生産装置５１は、不織布５３、５５及び５７と、ノーズクリップ６１と、第１溶着部６３と、第２溶着部６５と、折りたたみ部６７と、第３溶着部６９と、切断部７１と、耳紐取付部７３を備える。不織布５３、５５及び５７は、マスク本体を３層で構成するものである。第１溶着部６３は、不織布５３及び５５の２層に対し、立体形状を維持するための立体形状維持機能用溶着処理を行う。第２溶着部６５は、ノーズクリップ６１を不織布５３、５５及び５７中に溶着により埋め込むと共に、マスク本体の上下の向かい合う両辺側の溶着を行う。折りたたみ部６７は、マスク本体を折りたたみ、プリーツ加工を行う。第３溶着部６９は、マスク本体が折りたたまれた状態で、マスク本体が耳掛け部と接続すべき両辺側の溶着を行う。切断部７１は、連続した状態から、個々のマスク本体を切断する。耳紐取付部７３は、マスク本体の両側に耳紐を取り付ける。これにより、マスク本体と耳掛け部を有する使い捨て衛生マスクを生産することができる。
【先行技術文献】
【特許文献】
【０００５】
【特許文献１】特開２０１２−０３５００６号公報
【特許文献２】実用新案登録第３１６３６２５号公報
【特許文献３】実用新案登録第３１７３３５２号公報
【発明の概要】
【発明が解決しようとする課題】
【０００６】
近年、特に使い捨て衛生マスクは、立体形状を維持する機能が需要者に求められている。しかしながら、衛生マスクは、これまで、基本的に不織布のみで形成されていた。そのため、プリーツ加工等がなされた不織布は、着用時に立体形状を整えても、その形状を長時間維持することは困難であった。
【０００７】
特に、衛生マスクは、設計業者と製造業者の分業体制となり、製造工程を熟知して設計できる状況ではない。さらに、コスト面でも、厳しく削減が要求され、不織布以外の素材を使用するという発想が乏しかった。そのため、新商品は、これまでの不織布を組み合わせた商品の延長上で設計する傾向にあった。例えば、特許文献１及び２にあるように、不織布の溶着部によって形状維持を目指すなどのものである。
【０００８】
なお、従来、長手方向に沿って、例えば鼻に当たる部分や短手方向の中心部分などに、変形可能な整形部材を入れることは行われていた。しかしながら、この整形部材は、製造過程で移動する長手方向に沿って、短手方向の、溶着部分を外した一部分に設けるものであった。そして、これを固定するために特別な溶着を行う必要があった。この整形部材は、装着時に変形して用いるものであり、事前にプリーツ加工等を行うものではなく、装着時に、プリーツ加工等により折れた部分の形状を維持するためのものではない。
【０００９】
そこで、本発明は、衛生マスクの基本的な性質を変えることなく、プリーツ加工等がなされた場合の立体形状維持に適した衛生マスク等を提供することを目的とする。
【課題を解決するための手段】
【００１０】
本願発明の第１の観点は、着用時に口元を覆うマスク部を有する衛生マスクであって、前記マスク部は、第１不織布と、第２不織布と、前記第１不織布と前記第２不織布の間に前記第１不織布及び前記第２不織布よりも硬い形状支持部材を有し、前記形状支持部材は、前記第１不織布及び前記第２不織布と共に折り加工がなされたものであり、着用時に前記第１不織布及び前記第２不織布と共に折り加工された部分が伸ばされて前記口元を覆うことにより、着用時の前記マスク部の形状を支持するものであることを特徴とするものである。
【００１１】
本願発明の第２の観点は、第１又は第２の観点の衛生マスクであって、前記形状支持部材は、三角形の形状の通気部が形成され、前記第１不織布及び前記第２不織布と共にプリーツ加工がなされても、再度、広げて、広げた形状を保つことが可能で、かつ、折りたたまれた状態で前記第１不織布及び前記第２不織布の間に固定されることが可能なものである。
【００１２】
本願発明の第３の観点は、第１又は第２の観点の衛生マスクであって、前記形状支持部材は、並行する複数の線状部材と、これらの線状部材を横断する線状部材とを組み合わせたものである。
【００１３】
本願発明の第４の観点は、第１から第３のいずれかに記載の衛生マスクであって、前記樹脂は、所定の機能を達成する機能性を有するものである。
【００１４】
本願発明の第５の観点は、着用時に口元を覆うマスク部を有する衛生マスクであって、前記マスク部は、第１不織布と、第２不織布と、前記第１不織布と前記第２不織布の間に前記第１不織布及び前記第２不織布よりも硬い形状支持部材を有し、前記形状支持部材は、空気が通り抜ける通気部が形成されたものであり、前記第１不織布及び前記第２不織布が前記形状支持部材を間に前記通気部を含めて溶着されることによって前記第１不織布及び前記第２不織布の間に固定され、着用時の前記マスク部の形状を支持するものであることを特徴とするものである。
【００１５】
本願発明の第６の観点は、着用時に口元を覆うマスク部を有する衛生マスクを生産するマスク生産装置であって、第１不織布と第２不織布の間に形状支持部材がある状態で、前記第１不織布及び前記第２不織布並びに前記形状支持部材を折り加工をする折りたたみ部と、前記折り加工がなされた前記第１不織布及び前記第２不織布並びに前記形状支持部材に対して溶着処理を行って前記マスク部とする溶着部を備えることを特徴とするものである。
【００１６】
本願発明の第７の観点は、着用時に口元を覆うマスク部を有する衛生マスクを生産するマスク生産方法であって、折りたたみ部が、第１不織布と第２不織布の間に形状支持部材がある状態で、前記第１不織布及び前記第２不織布並びに前記形状支持部材を折り加工をする折りたたみステップと、溶着部が、前記折り加工がなされた前記第１不織布及び前記第２不織布並びに前記形状支持部材に対して溶着処理を行って前記マスク部とする溶着ステップを含むことを特徴とするものである。
【発明の効果】
【００１７】
本願発明の各観点によれば、第１不織布と第２不織布の間に、樹脂等の素材で作られた形状支持部材を入れることにより、プリーツ等が形成された衛生マスクであっても、これを開いた形状で顔に装着して、その形状を長時間維持することが可能になる。形状支持部材は、一度、プリーツ加工がなされても、これを広げることが可能で、広げた状態で形状を支持できるものであればよい。この形状支持部材の追加による製造ラインは、基本的には、従来の不織布に加えて形状支持部材を製造ラインに入れ、マスクの厚さを調整すれば足り、従来の製造ラインを大幅に変更する必要はない。このようなアイディアは、ダチョウ抗体マスクの製造・販売を通じて、衛生マスクの製造工程に熟知した出願人ならではの発想である。
【００１８】
なお、従来、例えば鼻に当たる部分などに入れる整形部材は、装着時に変形して用いるものであり、事前にプリーツ加工等により折り曲げるものではなかった。そのため、本願発明の形状支持部材とは本質的に異なるものである。
【００１９】
さらに、本願発明の第２及び第３の観点によれば、形状支持部材は、十分な強度を持ち、形状維持を確実なものとすることが可能になる。
【００２０】
またこの形状支持部材は、樹脂によって作ることが可能になる。このような樹脂を使用することにより、薄いものでも形状維持を実現することが可能で、さらに、薄いものを使用することによりコストの増加を抑えることが可能である。さらに、本願発明の第４の観点にあるように、例えば、抗菌・消臭等の一定の機能性を有するものを選択することも可能である。
【００２１】
出願人は、ダチョウ卵由来の抗体という最先端技術を使用した衛生マスクを製造・販売することにより、衛生マスクという商品の製造に熟知することができた。そして、新たな事業として、可視性ある保冷容器の研究・開発をする過程で、可視性を保ちつつ容器の形状を維持する素材を求め、その結果、軽量かつ形状を維持することが可能な素材を数多く目にすることとなった。そして、衛生マスクという通気性を要する商品の製造・販売を行ってきた出願人が、新たに、可視性ある保冷容器という透光性を要する商品に接したことにより、気体と光の通過という類似などによって、衛生マスクにおいて、不織布以外の素材を利用して形状維持を実現するという新規なアイディアに到達したものである。
【００２２】
そして、このようなアイディアは、衛生マスクに特化し、分業体制が整えられた衛生マスクの製造業者等には、基本的には不織布と溶着しない他の素材を使用することは想到できず、さらに、不織布以外の素材を使って、あえてコストを増加しようとすることは困難である。また、保冷容器業者は、通常、効率のよい保冷を実現するため、可視性を実現してこなかった。衛生マスクの製造・販売のプロフェッショナルでありつつ、さらに、可視性ある保冷容器にも果敢にチャレンジしてきた出願人だからこそ、本願発明をすることができたものである。
【図面の簡単な説明】
【００２３】
【図１】本願発明の実施例である衛生マスクを生産するマスク生産装置の概略ブロック図である。
【図２】図１のマスク生産装置１で試作した衛生マスクの（ａ）正面と（ｂ）背面を示す図である。
【図３】図２の試作衛生マスクのプリーツ加工した部分を広げた状態を示す図である。
【図４】図２の試作衛生マスクの多層構造を示す図である。
【図５】図２の試作衛生マスクの多層構造の具体的な状態と、溶着の状態を示す図である。
【図６】従来の衛生マスクを生産するマスク生産装置の概略ブロック図である。
【発明を実施するための形態】
【００２４】
以下では、図面を参照して、本願発明の実施例について説明する。なお、本願発明は、この実施例に限定されるものではない。
【実施例】
【００２５】
図１は、本願発明の実施の形態の一例である衛生マスクを生産するマスク生産装置の概略ブロック図である。マスク生産装置１（本願請求項の「マスク生産装置」の一例）は、不織布３、５及び７（不織布３が本願請求項の「第１不織布」の一例であり、不織布５及び／又は７が本願請求項の「第２不織布」の一例である。）と、樹脂部材９（本願請求項の「形状支持部材」の一例）と、ノーズクリップ１１と、第１溶着部１３と、第２溶着部１５と、折りたたみ部１７（本願請求項の「折りたたみ部」の一例）と、第３溶着部１９（本願請求項の「溶着部」の一例）と、切断部２１と、耳紐取付部２３を備える。
【００２６】
図１のマスク生産装置１の第１溶着部１３、第２溶着部１５、折りたたみ部１７、第３溶着部１９、切断部２１及び耳紐取付部２３の基本的な動作は、それぞれ、図６のマスク生産装置５１の第１溶着部６３、第２溶着部６５、折りたたみ部６７、第３溶着部６９、切断部７１及び耳紐取付部７３と同じである。図１のマスク生産装置１は、図６のマスク生産装置５１の各構成に加えて、樹脂部材９を備える。樹脂部材９は、一度折り曲げ加工がなされても、再度、広げて、広げた形状を保つことが可能な性質のものである。樹脂部材９が入る関係で、マスク本体を処理するための厚さ等の調整が必要となるが、図１のマスク生産装置１は、樹脂部材９が不織布の間にある状態で、図６のマスク生産装置５１と同様の溶着処理等を行う。
【００２７】
具体的には、不織布５３、５５及び５７と樹脂部材９は、４層で、着用時に口元を覆うマスク本体（本願請求項の「マスク部」の一例）を構成する。第１溶着部６３は、不織布５３と不織布５５の間に樹脂部材９がある３層に対し、立体形状を維持するための立体形状維持機能用溶着処理を行う。第２溶着部６５は、ノーズクリップ６１を不織布５３、５５及び５７並びに樹脂部材９の中に溶着により埋め込むと共に、マスク本体の上下の向かい合う両辺側の溶着を行う。折りたたみ部６７は、マスク本体を折りたたみ、プリーツ加工を行う。第３溶着部６９は、マスク本体が折りたたまれた状態で、マスク本体が耳掛け部と接続すべき両辺側の溶着を行う。切断部７１は、連続した状態から、個々のマスク本体を切断する。耳紐取付部７３は、マスク本体の両側に耳紐を取り付ける。これにより、マスク本体と耳掛け部を有する使い捨て衛生マスクを生産することができる。
【００２８】
図２〜５を参照して、本願発明の衛生マスクの一例として、図１のマスク生産装置１を用いて試作した衛生マスクを具体的に説明する。図２は、プリーツ加工を施した状態の衛生マスクを示す図である。図２（ａ）と（ｂ）は、それぞれ、装着時に外から見える側（「正面」という。）と顔に当たる側（「背面」という。）から撮影したものである。このように、従来のマスク生産装置において、基本的には樹脂部材を入れるだけで、本願発明の衛生マスクを生産することが可能である。
【００２９】
図３は、プリーツ加工した部分を広げた状態を示す図である。図３（ａ）、（ｂ）、（ｃ）及び（ｄ）は、それぞれ、プリーツ加工した部分を広げた状態で、正面、背面、右側面及び平面から順番に撮影したものである。形状支持部材が存在することにより、プリーツ加工した部分を広げて机上に置いた状態で、継続して撮影できる程度に、形状が支持されている。
【００３０】
図４は、マスク本体の断面を示す図である。図４（ａ）は、マスク本体の切断した断面の部位を示すために撮影したものである。図４（ｂ）は、マスク本体の断面を示すために撮影したものである。図４（ｃ）は、マスク本体の多層構造を示すための概略図である。図４（ｃ）にあるように、マスク本体は、正面から背面にかけて、層３１、層３３、層３５及び層３７の４層からなる。層３１、層３３及び層３７は不織布である。層３５が樹脂部材である。層３５の樹脂部材は、樹脂が存在する部分４１と樹脂が存在する部分４３の間に、空気が通り抜ける通気部４５（本願請求項の「通気部」の一例）が形成されている。
【００３１】
図５は、溶着の状態を示すために撮影したものである。図５（ａ）は、正面から撮影したものである。図５（ｂ）は、背面から撮影したものである。図５（ａ）にあるように、正面から２層の不織布の下に、樹脂部材が存在する。図５（ｂ）にあるように、背面から１層の不織布の下に、樹脂部材が存在する。図５（ｃ）では、不織布を引っ張りながら撮影している。そのため、この試作衛生マスクでは、不織布の溶着により形状支持部材を固定していることが分かる。よって、実際に、形状支持部材が存在しても、溶着することが可能であることを示している。そのため、本願発明でも、例えば、特許文献１及び２に記載された立体形状を維持するための立体形状維持機能用溶着処理が有効であったり、不織布の溶着により形状支持部材を固定したりすることができることが分かる。図５にあるように、この試作マスクでは、三角形を組み合わせた形状の樹脂部材を用いている。このような樹脂部材は、きわめて軽量であり、かつ、図３に示すように形状を継続して支持することが可能なものである。樹脂部材がこのような強度を持つことは、出願人らが、保冷容器の製作過程において実験により知得したものである。マスク生産に関する当業者は、通常、このような樹脂部材等の不織布以外の材料に関する知見がなく、かつ、マスクの機能として不織布のみで実現することから、不織布以外の材料を用いてマスク本体を構成しようとする動機づけに欠けるものと考えられる。
【００３２】
なお、本願発明は、本実施例に限定されるものではなく、例えば、特許文献１及び２の従来の技術に記載されているように、第１溶着部１３がなく、立体形状を維持するための立体形状維持機能用溶着処理がなされないマスク生産装置において、樹脂部材を含めて生産させることにより得られた衛生マスクであってもよい。
【００３３】
また、樹脂部材は、例えば、抗菌や消臭等の機能性を有するものであってもよい。このような機能性樹脂を用いることにより、単に形状を支持するだけでなく、より多くの効果を期待することができる。また、本願発明の形状支持部材は、樹脂以外であっても、同様の機能を実現するものであってもよい。
【符号の説明】
【００３４】
１  マスク生産装置、３，５，７  不織布、９  樹脂部材、１１  ノーズクリップ、１３  第１溶着部、１５  第２溶着部、１７  折りたたみ部、１９  第３溶着部、２１  切断部、２３  耳紐取付部、３１，３３，３５，３７  層、４１，４３  樹脂部材、４５  通気部
【図１】
2014033973.tif 000003
【図６】
2014033973.tif 000004
【図２】
2014033973.tif 000005
【図３】
2014033973.tif 000006
【図４】
2014033973.tif 000007
【図５】
2014033973.tif 000008